(57)【特許請求の範囲】
【請求項１】
下地フレームから吊り天井のフレームを吊下支持するために用いる支持材であって、
上端面にフランジ部が設けられた略円筒状の胴部と、この胴部から垂下して前記吊り天井のフレームにその下端部が固定されるネジ軸と、前記胴部を前記下地フレームに取り付けるための取付部材とを有し、
前記フランジ部は、前記胴部の外径よりも大きい形態であり、
前記ネジ軸は、前記胴部における閉口した下端部を螺貫しており、
前記取付部材には、その内周を前記胴部が回転自在で、かつ前記フランジ部よりも小さい径の孔が形成され、さらに前記下地フレームにこの取付部材を固定した際に、少なくとも前記フランジ部の厚さ分の空隙を下地フレームの下面との間に確保するスペーサが、前記フランジ部外縁の回転軌跡よりも外方に設けられたことを特徴とする、吊り天井用支持材。
【請求項２】
ネジ軸下端部と吊り天井のフレームとの固定箇所に固定される支持部材を備え、
この支持部材は、ネジ軸下端部が挿通する孔を有する平坦な底部と、この底部の両端から各々斜め上方に延出した取付部とを有することを特徴とする、請求項１に記載の吊り天井用支持材。
【発明の詳細な説明】
【０００１】
【発明の属する技術分野】
本発明は、スラブなどに固定されている下地フレームから吊り天井のフレームを吊下支持するために用いる支持材に関するものである。
【０００２】
【従来の技術】
例えばクリーンルームに清浄な空気を天井面から供給する場合、天井部に複数のファンフィルタユニットを設置するようにしている。このときファンフィルタユニットは、スラブなどに固定されている下地フレームから適宜の支持材を介して吊下支持されている吊り天井フレーム上に載置される。またその他、適宜の照明器具や空調吹出ユニット等も、前記下地フレームから支持材によって吊下支持されている吊り天井のフレームに固定されている。吊り天井フレームにおけるこれら各装置器具が固定されている部分以外のエリアに、適宜の化粧パネルを取り付けるようにしている。
【０００３】
このようにして吊り天井フレームを下地フレームから吊下支持するにあたっては、下地フレームに取り付ける適宜の支持材を用いているが、吊り天井フレームを水平レベル出しする必要があるので、当該支持材は、長さ調節できるものが好ましく、そのため従来からこの種の支持材には、ターンバックル及びこのターンバックルの両端部に各々螺着した２本の吊りボルトなどのネジ軸を組み合わせて用いていた。
【０００４】
承知のように、ターンバックルは、両端に右ネジと左ネジの継手部を有する部材であり、手で回転させることにより、ネジ軸がターンバックルに対して出入りしてその長さが調節できる機能を備えている。そして従来は、このネジ軸のうちの一のネジ軸を下地フレームに取り付けたボックスハンガーなどの取付部材に固定したり、あるいは直接下地フレームに直接固定し、他のネジ軸の下端部を吊り天井のフレームに固定するようにしていた。
【０００５】
【発明が解決しようとする課題】
しかしながら、前記したターンバックルと吊りボルトを組み合わせた支持材を用いて吊り天井のフレームを支持していたのでは、次のような問題があった。まず結果的に２本のネジ軸を下地フレームと吊り天井のフレームとの間に介在させているため、部品数が多く、取扱いの点で改善が望まれていた。また、各ネジ軸の両端を螺着固定しているため、螺着箇所が多く、作業時間がかかっていた。さらにそのように全て吊りボルト等のネジ軸での固定であるから、地震の際にはネジ軸の固定部分、即ち狭い面積に強い力が加わり、その結果折れたり、外れたりして吊り天井自体が落下して大きな被害を被るおそれがあり、結局耐震性において、必ずしも満足できるものではなかった。
【０００６】
本発明は、かかる点に鑑みてなされたものであり、部材構成が簡素で軽量化が図れ、しかも作業性、耐震性に優れた吊り天井用支持材を提供して、前記問題の解決を図ることをその目的としている。
【０００７】
【課題を解決するための手段】
前記目的を達成するため、請求項１によれば、下地フレームから吊り天井のフレームを吊下支持するために用いる支持材であって、上端面にフランジ部が設けられた略円筒状の胴部と、この胴部から垂下して前記吊り天井のフレームにその下端部が固定されるネジ軸と、前記胴部を前記下地フレームに取り付けるための取付部材とを有し、前記フランジ部は、前記胴部の外径よりも大きい形態であり、
前記ネジ軸は、前記胴部における閉口した下端部を螺貫しており、前記取付部材には、その内周を前記胴部が回転自在で、かつ前記フランジ部よりも小さい径の孔が形成され、さらに前記下地フレームにこの取付部材を固定した際に、少なくとも前記フランジ部の厚さ分の空隙を下地フレームの下面との間に確保するスペーサが、前記フランジ部外縁の回転軌跡よりも外方に設けられたことを特徴とする、吊り天井用支持材が提供される。
【０００８】
かかる構成の吊り天井用支持材を使用する場合、取付部材の孔内に胴部を挿入し、その状態で取付部材を下地フレームに固定する。このときスペーサによって少なくとも前記フランジ部の厚さ分の空隙が確保されており、また前記孔はフランジ部よりも径の小さい孔であるから、結局フランジ部が孔周辺で係止され、また胴部は取付部材に対して回転自在となっている。そしてネジ軸の下端部を吊り天井のフレームに固定することで、下地フレームから吊り天井のフレームを吊下支持することができる。そして胴部を適宜回転させることにより、ネジ軸が胴部に対して出入りするので、下地フレームと吊り天井のフレームとの間の間隔調節を行い、吊り天井のフレームの水平レベル出しを実施することができる。
【０００９】
このようにして吊り天井のフレームが支持されると、結局、フランジ部が孔周辺で係止されることで胴部が吊り天井のフレームを吊下支持している。したがって、地震が起こった場合、前記係止部分では、孔と胴部との間に適宜の遊びを設定することで、振動をある程度吸収できる。しかも胴部の上部においては、螺着と違ってフランジ部の係止で吊下されているので、従来よりも大きい面積で力を受けとめることができる。特に上側につり天井のフレームが揺れた際、フランジ部全体に対応する部分で受けとめるので、耐震性に優れている。またネジ軸の数も従来より低減しているので取扱いが従来より楽であり、取り付けの際の作業性も良好である。なおフランジ部の平面形態は、必ずしも円形でなくともよく、方形等、任意の形状を採用することができる。
【００１０】
以上のような吊り天井用支持材において、請求項２に記載したように、さらにネジ軸下端部と吊り天井のフレームとの固定箇所に固定される支持部材を備え、この支持部材を、ネジ軸下端部が挿通する孔を有する平坦な底部と、この底部の両端から各々斜め上方に延出した取付部とを有する構造とし、ネジ軸下端部と吊り天井のフレームとの固定の際に、この支持部材を同時に固定すれば、１つの支持部材を用いて同時に２つの方向に斜めの梁を設定することができる。したがって、地震の際の横揺れにも強い極めて耐震性の優れた構造を実現できる。
【００１１】
【発明の実施の形態】
以下、本発明の実施の形態を図面に基づいて説明すれば、図１は本実施の形態にかかる吊り天井用支持材を用いて後述の下地フレーム５から吊下支持する吊り天井フレーム１、及びこの吊り天井フレーム１に設置された状態のファンフィルタユニット２の外観を示している。この吊り天井フレーム１は、図２〜図４に示したように、横に配されるフレーム材３、縦に配されるフレーム材４を、格子状に接続して構成され、図３に示したように、吊り天井フレーム１全体は、スラブ等に直接又は間接的に固定される下地フレーム５から吊下支持される。
【００１２】
本実施形態にかかる吊り天井用支持材１１は、前記した吊り天井フレーム１における格子の交点部分、即ち、フレーム材３、４が交差する部分で吊り天井フレーム１を吊下支持するように配置される。但し、既述したように、本発明の吊り天井用支持材は耐震性が良好であるから、本実施形態にかかる吊り天井用支持材１１を、必ずしも全ての交差部分に配置する必要はなく、図２、図３中の丸で囲った部分で示すように、所定の交差部分おきに配置し、その他の交差部分については、後述のように、従来の吊りボルト＋ターンバックル構成の支持材を用いることができる。
【００１３】
本実施形態にかかる吊り天井用支持材１１の構成を図５、図６に示す。図５は、吊り天井用支持材１１の平面、図６は側面をそれぞれ示している。この吊り天井用支持材１１においては、適宜のパイプ材を切断して得られた胴部１２の上端面にこの胴部１２の外径よりも大きい円板状のフランジ１３が溶接等によって固着されている。また胴部１２の下端部内には、上半分が胴部１２の内径に適合する大きさを持ったナット部材１４が溶接等によって固着されている。
【００１４】
前記ナット部材１４にはネジ軸１５が螺貫しており、このネジ軸１５におけるナット部材１４側基部外周には、抜け防止用のナット１６が螺着されており、他方このネジ軸１５における下端部近傍外周には、長尺のナット１７が螺着されている。
【００１５】
前記胴部１２は、平面が正方形の取付部材２１の中心に穿設されている孔２２内に挿入されている。この孔２２の径は、胴部１２の外径よりも大きく、フランジ１３の外径よりも小さいものである。したがって、胴部１２は孔２２内を回転自在であり、かつ胴部１２全体は、上端面のフランジ１３によって、孔２２周辺部によって係止される。取付部材２１の上面における両側端部には、スペーサ２３、２３が、フランジ１３の外縁の回転軌跡外方に位置するように固着されている。これら各スペーサ２３、２３には、取付用のボルト孔２４が、取付部材２１をも貫設して各々４カ所に形成されている。このスペーサ２３の厚さｄ1は、フランジ１３の厚さｄ2よりも厚く設定されている。即ち、ｄ1＞ｄ2である。
【００１６】
本実施形態にかかる吊り天井用支持材１１は以上のように構成されており、次にその使用例について説明すると、図６に示した状態、即ち取付部材１７の上面側から胴部１２を挿入した状態で、図７、図８に示したように、下地フレーム５と吊り天井フレーム１におけるフレーム材３、４との見かけ上交差している部分、例えばフレーム材３との間に取り付けられる。工法手順としては、例えば予め適宜数のフレーム材３、４で、吊り天井フレーム１のある程度分割された「ブロック」を構成しておき、所定位置に胴部１２から下の部分、及びナット１７等をフレーム材３に取り付けておき、その状態で当該ブロックを適宜の昇降ステージ上に載置し、次いでこの昇降ステージを所定の高さまで上昇させ、その状態で下地フレーム５と吊り天井用支持材１１とを取付部材２１を介して固定して、フレーム材３との間に吊り天井用支持材１１を取り付けるという作業手順を採用することができる。
【００１７】
その場合、例えばＵボルト３１、ナット３２によって取付部材２１は、下地フレーム５に取付固定される。他方、胴部１２から垂下しているネジ軸１５の下端部は、フレーム材３の上面に固着されている取付金具３３を介し、ナット１７、ボルト３４により固定される。このとき、予めネジ軸１５の下端部は、図９にも示している２つの支持部材４１、４１を挿通しておき、これら２つの支持部材４１、４１も同時に固定する。したがって、ネジ軸１５とフレーム材３の取付金具３３との固定箇所では、２つの支持部材４１、４１の底部４２、４２が重合している。
【００１８】
この支持部材４１は、細幅の板材を適宜折曲成形した全体として略Ｖ字形状をなしており、平坦な底部４２とこの底部４２の両側端から各々斜め上方に延出した取付部４３、４４とによって主たる構成がなされている。そして取付部４３の外方端部には、さらに内側に９０゜折曲した折曲部４５が設けられ、同様に取付部４４の外方端部にも折曲部４６が設けられている。底部４２には、固定用の孔４２ａが形成され、また前記折曲部４５、４６にも各々対応する孔４５ａ、４６ａが形成されている。これら２つの支持部材４１は、平面からみて各取付部４３、４４が各々フレーム材３、４と同一方向になるように、即ち２つの支持部材４１で平面からみて十字形状をなすよう組み合わせてフレーム材３に固定される。
【００１９】
各支持部材４１の折曲部４５、４６の各孔４５ａ、４６ａには、図７、図８に示したように、それぞれ吊りボルト５１の一端部が挿入され、ナット５２、５３で両側から締め付け固定されている。この吊りボルト５１の他端部は、下地フレームに固定される適宜のブラケット５６の孔５６ａを挿通して、ナット（図示せず）などによってこのブラケット５６に締め付け固定される。
【００２０】
以上のようにして本実施形態にかかる吊り天井用支持材１１は、下地フレーム５と吊り天井フレーム１との間に介在して、吊り天井フレーム１を吊下支持するが、この吊り天井用支持材１１は、極めて耐震性に優れているので、既述したように、吊り天井フレーム１における全ての交差部分に設定する必要はなく、前出図２、図３に示したように、適宜間隔をおいて、即ちある程度間引きして取り付けられる。
【００２１】
したがって、本実施形態にかかる吊り天井用支持材１１が位置しない他の交差部分については、図３、図４に示したように、従前の吊りボルト＋ターンバックルによって吊り天井フレーム１を吊下すればよい。即ち、図４に示したように、ターンバックル６１の両端部に、２本の吊りボルト６２、６３を接続し、下側の吊りボルト６２の下端部は、適宜の取付金具６４を用いてフレーム材３又はフレーム材４に固定し、上側の吊りボルト６３の上端部は、図４に示したように、直接下地フレーム５に固定すればよい。
【００２２】
以上のようにして本実施形態にかかる吊り天井用支持材１１を用いて下地フレーム５から吊り天井フレーム１を吊下支持すれば、次のような効果が得られる。まず、フランジ１３が取付部材２１の孔２２周辺で係止されて荷重を受けるので安定した吊下支持が可能である。しかも縦揺れの際、特に上側に吊り天井フレーム１が揺れた際には、フランジ１３全体に対応した部分にその時の力が加わるので、従来よりも単位面積をあたりの圧力が減少する。したがって、吊り天井フレーム１の吊下支持が従来よりも強固であり、かつ安定している。
【００２３】
吊り天井フレーム１の水平レベル出しを実施する場合には、胴部１２を適宜回転させれば、ネジ軸１５が胴部１２に対して出入りするので、容易にこれを実施することができる。胴部１２自体は、ネジ軸１５よりも径が大きいので、手で持って作業する場合でも握りやすく力が入りやすい。胴部１２外周表面に、ロレット加工等、適宜の滑り止め加工を施せばさらに作業性が向上する。そのようにして微調整した後は、ナット１６を締め付けて抜け防止を図る。
【００２４】
さらに前記施工例では、支持部材４１によって斜めに梁が架設されているので、横揺れに対しても強い構造となっている。この場合、従来のように単に斜めに梁を架設しただけではなく、両端に取付部４３、４４を有する支持部材４１を使用しているので、四方に斜めの梁を架設するときでも、支持部材４１は２つの使用で足りる。したがって、吊り天井用支持材１１のネジ軸１５と、フレーム材３との固定箇所の厚みがかさばらず、安定した吊下支持を妨げることはない。また固定作業もしやすいものである。さらに支持部材４１自体の構造も簡易であるから、その製造も極めて簡単である。
【００２５】
【発明の効果】
請求項１、２の発明にかかる吊り天井用支持材によれば、従来よりも部材構成が簡素で取扱いが容易である。しかも取り付けの際の作業性が良好で、耐震性が従来より向上している。特に請求項２の場合には、地震の際の横揺れにも強い構造とすることができ、ネジ軸の固定箇所周りもかさばらない。
【図面の簡単な説明】
【図１】本発明の実施の形態にかかる吊り天井用支持材を用いて吊下支持する吊り天井フレームにファンフィルタユニットを設置した様子を示す斜視図である。
【図２】本発明の実施の形態にかかる吊り天井用支持材を用いて吊下支持した吊り天井フレームの平面図である。
【図３】本発明の実施の形態にかかる吊り天井用支持材を用いて吊下支持した吊り天井フレームの側面図である。
【図４】本発明の実施の形態にかかる吊り天井用支持材で吊り天井フレームを吊下支持する状態を示す斜視図である。
【図５】本発明の実施の形態にかかる吊り天井用支持材の平面図である。
【図６】本発明の実施の形態にかかる吊り天井用支持材の側面図である。
【図７】本発明の実施の形態にかかる吊り天井用支持材を下地フレームと吊り天井フレームのフレーム材との間に取り付けた状態を示す正面図である。
【図８】本発明の実施の形態にかかる吊り天井用支持材を下地フレームと吊り天井フレームのフレーム材との間に取り付けた状態を示す側面図である。
【図９】図７に示した吊り天井用支持材に用いた支持部材の斜視図である。
【符号の説明】
１    吊り天井フレーム
２    圧縮機
３    フレーム材
４    フレーム材
５    下地フレーム
１１    吊り天井用支持材
１２    胴部
１３    フランジ
１４    ナット部材
１５    ネジ軸
２１    取付部材
２２    孔
２３    スペーサ
４１    支持部材
【図１】
0003811241.tif 000002
【図２】
0003811241.tif 000003
【図３】
0003811241.tif 000004
【図４】
0003811241.tif 000005
【図５】
0003811241.tif 000006
【図６】
0003811241.tif 000007
【図７】
0003811241.tif 000008
【図８】
0003811241.tif 000009
【図９】
0003811241.tif 000010